(57)【要約】【課題】前処理することなく現場で即時に測定することができる有害物質濃度測定装置を提供する。【解決手段】分解によりＮＯ２　を発生する有害物質の雰囲気１００中の濃度を測定する装置１０であって、ＮＯ２　と反応して変色する変色試薬を担体に担持させた検知剤と、検知剤を充填された無色透明の検知管１４と、検知管１４の長手方向に沿って設けられた目盛り１４ａと、雰囲気１００中の有害物質を分解させる熱分解装置１３と、熱分解装置１３で分解された有害物質を検知管１４内に流通させる吸引ポンプ１５と、熱分解装置１３に流通させる雰囲気１００の流量を調整する流量計１２、タイマ１６、圧力計１７、バルブ１８ａ，１８ｂ等とを備えた。【選択図】　　　　図１
2004028738.tif 000002
【特許請求の範囲】
【請求項１】
分解によりＮＯ２　を発生する有害物質の雰囲気中の濃度を測定する装置であって、
ＮＯ２　と反応して変色する変色試薬を担体に担持させた検知剤と、
前記検知剤を充填された無色透明の検知管と、
前記雰囲気中の前記有害物質を分解させる分解手段と、
前記分解手段で分解された前記有害物質を前記検知管内に流通させる流通手段と
を備えていることを特徴とする有害物質濃度測定装置。
【請求項２】
請求項１において、
前記分解手段に流通させる前記雰囲気の流量を調整する流量調整手段を備えている
ことを特徴とする有害物質濃度測定装置。
【請求項３】
請求項１または請求項２において、
前記検知管が着脱自在に保持されている
ことを特徴とする有害物質濃度測定装置。
【請求項４】
請求項１から請求項３のいずれかにおいて、
前記検知管の長手方向に沿って目盛りが設けられている
ことを特徴とする有害物質濃度測定装置。
【請求項５】
請求項１から請求項４のいずれかにおいて、
前記分解手段が、前記雰囲気を加熱して前記有害物質を熱分解させる熱分解手段である
ことを特徴とする有害物質濃度測定装置。
【請求項６】
請求項１から請求項５のいずれかにおいて、
前記変色試薬が、オルトトリジンまたはＮ，Ｎ−ジフェニルベンジジンである
ことを特徴とする有害物質濃度測定装置。
【請求項７】
請求項１から請求項６のいずれかにおいて、
前記有害物質が、ヒドラジン、ジメチルヒドラジン、アンモニア、トリメチレントリニトロアミン、ジフェニルアミン、硝酸モノメチルアミン、１，２−プロピレングリコールジナイトレートのうちの少なくとも一種を含むものである
ことを特徴とする有害物質濃度測定装置。
【発明の詳細な説明】
【０００１】
【発明の属する技術分野】
本発明は、有害物質の濃度を現場で簡便に測定できる有害物質濃度測定装置に関する。
【０００２】
【従来の技術】
有害物質を取り扱う作業現場においては、作業現場の雰囲気中の有害物質のガス濃度を把握する必要がある。このため、例えば、ヒドラジンの作業現場雰囲気中の濃度を計測する場合には、従来、例えば、一定量の雰囲気を採取して水中に通過させて、雰囲気中のヒドラジンを水に溶解させて捕集した後、当該水を分析室に持ち帰って液体クロマトグラフ等により分析していた。
【０００３】
【発明が解決しようとする課題】
しかしながら、前述したような従来法では、採取したサンプルに対して前処理等を行う必要があるため、作業現場で分析することができないばかりか、測定結果を得るまでに時間を要してしまい、即応性がなかった。
【０００４】
このようなことから、本発明は、前処理することなく現場で即時に測定することができる有害物質濃度測定装置を提供することを目的とする。
【０００５】
【課題を解決するための手段】
前述した課題を解決するための、第一番目の発明による有害物質濃度測定装置は、分解によりＮＯ２　を発生する有害物質の雰囲気中の濃度を測定する装置であって、ＮＯ２　と反応して変色する変色試薬を担体に担持させた検知剤と、前記検知剤を充填された無色透明の検知管と、前記雰囲気中の前記有害物質を分解させる分解手段と、前記分解手段で分解された前記有害物質を前記検知管内に流通させる流通手段とを備えていることを特徴とする。
【０００６】
第二番目の発明による有害物質濃度測定装置は、第一番目の発明において、前記分解手段に流通させる前記雰囲気の流量を調整する流量調整手段を備えていることを特徴とする。
【０００７】
第三番目の発明による有害物質濃度測定装置は、第一番目または第二番目の発明において、前記検知管が着脱自在に保持されていることを特徴とする。
【０００８】
第四番目の発明による有害物質濃度測定装置は、第一番目から第三番目の発明のいずれかにおいて、前記検知管の長手方向に沿って目盛りが設けられていることを特徴とする。
【０００９】
第五番目の発明による有害物質濃度測定装置は、第一番目から第四番目の発明のいずれかにおいて、前記分解手段が、前記雰囲気を加熱して前記有害物質を熱分解させる熱分解手段であることを特徴とする。
【００１０】
第六番目の発明による有害物質濃度測定装置は、第一番目から第五番目の発明のいずれかにおいて、前記変色試薬が、オルトトリジンまたはＮ，Ｎ−ジフェニルベンジジンであることを特徴とする。
【００１１】
第七番目の発明による有害物質濃度測定装置は、第一番目から第六番目の発明のいずれかにおいて、前記有害物質が、ヒドラジン、ジメチルヒドラジン、アンモニア、トリメチレントリニトロアミン、ジフェニルアミン、硝酸モノメチルアミン、１，２−プロピレングリコールジナイトレートのうちの少なくとも一種を含むものであることを特徴とする。
【００１２】
【発明の実施の形態】
本発明による有害物質濃度測定装置の実施の形態を図１，２を用いて以下に説明する。図１は、有害物質濃度測定装置の概略構成図、図２は、図１の有害物質濃度測定装置の検量線のグラフである。なお、本発明は、以下の実施の形態に限定されるものではない。
【００１３】
図１に示すように、作業現場の雰囲気１００を採取する吸引管１１は、流量計１２を介して石英管１３ａの一端側に連結している。石英管１３ａの周囲は、電気ヒータ１３ｂで包囲されている。電気ヒータ１３ｂには、熱電対１３ｃが設けられている。熱電対１３ｃは、温度調整器１３ｄの入力部に接続されている。温度調整器１３ｄの出力部は、電気ヒータ１３ｂに接続している。
【００１４】
つまり、温度調整器１３ｄは、熱電対１３ｃからの信号に基づき、電気ヒータ１３ｂの加熱温度を調整することにより、石英管１３ａを所定の温度に維持することができるようになっているのである。このような石英管１３ａ、電気ヒータ１３ｂ、熱電対１３ｃ、温度調整器１３ｄ等により、本実施の形態では熱分解手段である熱分解装置１３を構成している。
【００１５】
前記石英管１３ａの他端側は、耐食性や耐熱性を有する無色透明のガラス等からなる着脱自在なカートリッジ式の検知管１４の一端側に連結している。検知管１４の内部には、オルトトリジンやＮ，Ｎ−ジフェニルベンジジン等のようにＮＯ２　と反応して変色する変色試薬をシリカゲル等の担体に担持させた検知剤が充填されている。検知管１４の近傍には、当該検知管１４の長手方向に沿って目盛り１４ａが設けられている。
【００１６】
前記検知管１４の他端側は、吸引ポンプ１５に接続されている。吸引ポンプ１５には、タイマ１６が接続されており、当該タイマ１６の作動により、吸引ポンプ１５の作動時間を調整することができるようになっている。なお、図１中、１７は圧力計、１８ａ，１８ｂはバルブである。
【００１７】
なお、本実施の形態では、前記吸引ポンプ１５等により流通手段を構成し、吸引管１１，流量計１２、タイマ１６、圧力計１７、バルブ１８ａ，１８ｂ等により流量調整手段を構成している。
【００１８】
このような本実施の形態にかかる有害物質濃度測定装置１０を使用して、例えば、作業現場雰囲気中の有害物質であるヒドラジンの濃度を測定する場合には、熱分解装置１３の電気ヒータ１３ｂを作動して石英管１３ａを所定の温度（約　２５０〜４００℃程度）に加熱すると共に吸引ポンプ１５を作動すると、吸引管１１から雰囲気１００が吸入され、流量計１２及びバルブ１８ａを介して熱分解装置１３の石英管１３ａ内に流入し、所定の温度（約３００℃程度）にまで加熱されて、含有するヒドラジンが熱分解してＮＯ２　を生成する。
【００１９】
上記雰囲気１００は、ＮＯ２　を含むヒドラジンの分解ガスと共に検知管１４内に流入し、上記ＮＯ２　が前記検知剤の変色試薬と反応することにより、当該検知剤を変色させた後（例えば、変色試薬がオルトトリジンの場合には検知剤が白色から黄橙色（ニトロソオルトトリジン）に変色し、変色試薬がＮ，Ｎ−ジフェニルベンジジンの場合には検知剤が白色から青色（Ｎ，Ｎ−ジニトロソジフェニルベンジジン）に変色する。）、バルブ１８ｂを介して吸引ポンプ１５から外部に排出される。
【００２０】
このような雰囲気１００の吸引をバルブ１８ａ，１８ｂで所定の流量（約５０〜１００ｃｍ３　Ｎ／ｍｉｎ程度）となるように流量計１２で確認しながら、タイマ１６により一定時間（約１５〜６０分程度）行うと、吸引した雰囲気１００中のヒドラジンの濃度が高いほど、検知管１４の変色長が長くなるので、図２に示すように、雰囲気１００中のヒドラジンの濃度と検知管１４の変色長との関係を予め求めた検量線に基づいて、当該検知管１４の変色長を目盛り１４ａで測定することにより、雰囲気１００中のヒドラジンの濃度を測定することができる。
【００２１】
したがって、本実施の形態の有害物質濃度測定装置１０によれば、採取した雰囲気１００に対して煩雑な前処理を行うことなく簡単な装置構造でヒドラジンの濃度を迅速に測定することができるので、前処理することなく現場で即時に測定することができる。
【００２２】
なお、上記有害物質としては、ヒドラジンを始めとして、ジメチルヒドラジン、アンモニア、トリメチレントリニトロアミン、ジフェニルアミン、硝酸モノメチルアミン、１，２−プロピレングリコールジナイトレートのうちの少なくとも一種を含むものが挙げられるが、分解によりＮＯ２　を発生する有害物質であれば、本実施の形態の場合と同様にして適用することができる。
【００２３】
また、変色試薬としては、オルトトリジンやＮ，Ｎ−ジフェニルベンジジン以外でも、ＮＯ２　と反応して変色するものであれば、本実施の形態の場合と同様にして適用することができる。
【００２４】
【発明の効果】
第一番目の発明による有害物質濃度測定装置は、分解によりＮＯ２　を発生する有害物質の雰囲気中の濃度を測定する装置であって、ＮＯ２　と反応して変色する変色試薬を担体に担持させた検知剤と、前記検知剤を充填された無色透明の検知管と、前記雰囲気中の前記有害物質を分解させる分解手段と、前記分解手段で分解された前記有害物質を前記検知管内に流通させる流通手段とを備えていることから、採取した雰囲気に対して煩雑な前処理を行うことなく簡単な装置構造で有害物質の濃度を迅速に測定することができるので、前処理することなく現場で即時に測定することができる。
【００２５】
第二番目の発明による有害物質濃度測定装置は、第一番目の発明において、前記分解手段に流通させる前記雰囲気の流量を調整する流量調整手段を備えているので、定量測定の容易化を図ることができる。
【００２６】
第三番目の発明による有害物質濃度測定装置は、第一番目または第二番目の発明において、前記検知管が着脱自在に保持されているので、使用した検知管を新たな検知管と交換することが容易にでき、作業効率を向上させることができる。
【００２７】
第四番目の発明による有害物質濃度測定装置は、第一番目から第三番目の発明のいずれかにおいて、前記検知管の長手方向に沿って目盛りが設けられているので、定量測定の容易化を図ることができる。
【００２８】
第五番目の発明による有害物質濃度測定装置は、第一番目から第四番目の発明のいずれかにおいて、前記分解手段が、前記雰囲気を加熱して前記有害物質を熱分解させる熱分解手段であるので、有害物質からＮＯ２　を発生させることが容易にできる。
【００２９】
第六番目の発明による有害物質濃度測定装置は、第一番目から第五番目の発明のいずれかにおいて、前記変色試薬が、オルトトリジンまたはＮ，Ｎ−ジフェニルベンジジンであるので、測定の容易化を図ることができる。
【００３０】
第七番目の発明による有害物質濃度測定装置は、第一番目から第六番目の発明のいずれかにおいて、前記有害物質が、ヒドラジン、ジメチルヒドラジン、アンモニア、トリメチレントリニトロアミン、ジフェニルアミン、硝酸モノメチルアミン、１，２−プロピレングリコールジナイトレートのうちの少なくとも一種を含むものであるので、上述した効果が最も発現されるようになる。
【図面の簡単な説明】
【図１】本発明による有害物質濃度測定装置の実施の形態の概略構成図である。
【図２】図１の有害物質濃度測定装置の検量線のグラフである。
【符号の説明】
１０　有害物質濃度測定装置
１１　吸引管
１２　流量計
１３　熱分解装置
１３ａ　石英管
１３ｂ　電気ヒータ
１３ｃ　熱電対
１３ｄ　温度調整器
１４　検知管
１４ａ　目盛り
１５　吸引ポンプ
１６　タイマ
１７　圧力計
１８ａ，１８ｂ　バルブ
１００　雰囲気
【図１】
2004028738.tif 000003
【図２】
2004028738.tif 000004